(57)【要約】【課題】レンズ鏡筒を安全かつ迅速に交換することができるとともに、レンズ鏡筒の内部の塵埃を除去することができるレンズ交換補助装置を提供すること。【解決手段】レンズ交換補助装置１０は、レンズ交換式カメラ１に装着されるレンズ交換補助装置１０であって、カメラ１を着脱可能なカメラ取付部３０と、装置内部２１に通じる開口部６０ａ，６０ｂと、開口部６０ａ，６０ｂに設けられ、レンズ鏡筒２ａ，２ｂを着脱可能なマウント部５０ａ，５０ｂと、塵埃除去機構部７０と、を備える。【選択図】図２
2012247579.tif 000002
【特許請求の範囲】
【請求項１】
レンズ交換式カメラに装着されるレンズ交換補助装置であって、
カメラを着脱可能なカメラ取付部と、
装置内部に通じる開口部と、
前記開口部に設けられ、レンズ鏡筒を着脱可能なマウント部と、
塵埃除去機構部と、
を備えること、
を特徴とするレンズ交換補助装置。
【請求項２】
請求項１に記載のレンズ交換補助装置であって、
前記マウント部を少なくとも２つ備えること、
を特徴とするレンズ交換補助装置。
【請求項３】
請求項１又は２に記載のレンズ交換補助装置であって、
前記カメラ取付部は、カメラの三脚取付穴に取り付け可能であること、
を特徴とするレンズ交換補助装置。
【請求項４】
請求項１〜３のいずれか一項に記載のレンズ交換補助装置であって、
前記塵埃除去機構部は、排気口と、前記開口部から前記排気口に空気を送風する送風部と、前記排気口側から前記開口部側への塵埃の移動を防止する逆流防止弁と、を有すること、
を特徴とするレンズ交換補助装置。
【請求項５】
請求項１〜４のいずれか一項に記載のレンズ交換補助装置であって、
前記塵埃除去機構部は、前記マウント部と同じ数設けられ、当該マウント部毎に設けられていること、
を特徴とするレンズ交換補助装置。
【請求項６】
請求項１〜５のいずれか一項に記載のレンズ交換補助装置であって、
前記塵埃除去機構部を動作させるための電力は、前記カメラ取付部に取り付けられたカメラから供給されること、
を特徴とするレンズ交換補助装置。
【請求項７】
請求項１〜６のいずれか一項に記載のレンズ交換補助装置であって、
レンズ鏡筒が前記マウント部に装着されたことを検知可能な検知部と、
前記検知部によりレンズ鏡筒が前記マウント部に装着されたことが検知された場合に、前記塵埃除去機構部を動作させるように制御する制御部と、
を備えることを特徴とするレンズ交換補助装置。
【発明の詳細な説明】
【技術分野】
【０００１】
本発明は、レンズ交換式カメラに用いられるレンズ交換補助装置に関するものである。
【背景技術】
【０００２】
従来、カメラボディと、カメラボディに対して着脱可能なレンズ鏡筒と、を備えるレンズ交換式カメラが知られている。
このようなレンズ交換式カメラにおいて、レンズ鏡筒を交換する際に、レンズ鏡筒の交換作業に手間取ることや、レンズ鏡筒を誤って落下させてしまうことがある。そのため、レンズ交換式カメラにおいて、レンズ鏡筒を安全かつ迅速に交換することが望まれる。
また、レンズを交換する際に、レンズ鏡筒の内部やカメラボディの内部に、塵埃が入り込むことがある。
【０００３】
カメラボディの内部に塵埃が入り込むことに対し、カメラボディの内部に入り込んだ塵埃を吸引することができるカメラ用清掃装置が提案されている（例えば、特許文献１参照）。
【先行技術文献】
【特許文献】
【０００４】
【特許文献１】特開２００５−１８１３７５号公報
【発明の概要】
【発明が解決しようとする課題】
【０００５】
しかし、特許文献１に記載のカメラ用清掃装置においては、レンズ鏡筒の内部に入り込んだ塵埃がレンズに付着してしまう可能性がある。また、特許文献１に記載のカメラ用清掃装置においては、レンズ鏡筒を安全かつ迅速に交換することについては考慮されていない。
【０００６】
本発明は、レンズ鏡筒を安全かつ迅速に交換することができるとともに、レンズ鏡筒の内部の塵埃を除去することができるレンズ交換補助装置を提供することを目的とする。
【課題を解決するための手段】
【０００７】
本発明は、以下のような解決手段により前記課題を解決する。なお、理解を容易にするために、本発明の実施形態に対応する符号を付して説明するが、これに限定されるものではない。
【０００８】
請求項１に記載の発明は、レンズ交換式カメラ（１）に装着されるレンズ交換補助装置（１０）であって、カメラ（１）を着脱可能なカメラ取付部（３０）と、装置内部（２１）に通じる開口部（６０ａ，６０ｂ）と、前記開口部（６０ａ，６０ｂ）に設けられ、レンズ鏡筒（２）を着脱可能なマウント部（５０ａ，５０ｂ）と、塵埃除去機構部（７０）と、を備えること、を特徴とするレンズ交換補助装置（１０）である。
請求項２に記載の発明は、請求項１に記載のレンズ交換補助装置（１０）であって、前記マウント部（５０ａ，５０ｂ）を少なくとも２つ備えること、を特徴とするレンズ交換補助装置（１０）である。
請求項３に記載の発明は、請求項１又は２に記載のレンズ交換補助装置（１０）であって、前記カメラ取付部（３０）は、カメラ（１）の三脚取付穴（１ａ）に取り付け可能であること、を特徴とするレンズ交換補助装置（１０）である。
請求項４に記載の発明は、請求項１〜３のいずれか一項に記載のレンズ交換補助装置（１０）であって、前記塵埃除去機構部（７０）は、排気口（７３）と、前記開口部（６０）から前記排気口（７３）に空気を送風する送風部（７１）と、前記排気口（７３）側から前記開口部（６０ａ，６０ｂ）側への塵埃の移動を防止する逆流防止弁（７２）と、を有すること、を特徴とするレンズ交換補助装置（１０）である。
請求項５に記載の発明は、請求項１〜４のいずれか一項に記載のレンズ交換補助装置（１０）であって、前記塵埃除去機構部（７０）は、前記マウント部（５０ａ，５０ｂ）と同じ数設けられ、当該マウント部（５０ａ，５０ｂ）毎に設けられていること、を特徴とするレンズ交換補助装置（１０）である。
請求項６に記載の発明は、請求項１〜５のいずれか一項に記載のレンズ交換補助装置（１０）であって、前記塵埃除去機構部（７０）を動作させるための電力は、前記カメラ取付部（３０）に取り付けられたカメラ（１）から供給されること、を特徴とするレンズ交換補助装置（１０）である。
請求項７に記載の発明は、請求項１〜６のいずれか一項に記載のレンズ交換補助装置（１０）であって、レンズ鏡筒（２ａ，２ｂ）が前記マウント部（５０ａ，５０ｂ）に装着されたことを検知可能な検知部（５５ａ，５５ｂ）と、前記検知部（５５ａ，５５ｂ）によりレンズ鏡筒（２ａ，２ｂ）が前記マウント部（５５ａ，５５ｂ）に装着されたことが検知された場合に、前記塵埃除去機構部（７０）を動作させるように制御する制御部（８０）と、を備えることを特徴とするレンズ交換補助装置（１０）である。
なお、符号を付して説明した構成は、適宜改良してもよく、また、少なくとも一部を他の構成物に代替してもよい。
【発明の効果】
【０００９】
本発明によれば、レンズ鏡筒を安全かつ迅速に交換することができるとともに、レンズ鏡筒の内部の塵埃を除去することができるレンズ交換補助装置を提供することができる。
【図面の簡単な説明】
【００１０】
【図１】本発明の第１実施形態のレンズ交換補助装置を示す側面図である。
【図２】本発明の第１実施形態のレンズ交換補助装置を示す正面図である。
【図３】レンズ交換を行なう手順を説明する図であって、交換用のレンズ鏡筒をレンズ交換補助装置に装着する様子を示す図である。
【図４】レンズ交換を行なう手順を説明する図であって、交換用のレンズ鏡筒をレンズ交換補助装置に装着した状態で、カメラをレンズ交換補助装置に装着する様子を示す図である。
【図５】レンズ交換補助装置に装着したレンズ鏡筒の内部の塵埃を、塵埃除去機構部により除去する様子を説明する図である。
【図６】レンズ交換を行なう手順を説明する図であって、カメラボディ及び交換用のレンズ鏡筒をレンズ交換補助装置に装着した状態で、カメラから取り外したレンズ鏡筒をレンズ交換補助装置に装着する様子を示す図である。
【図７】レンズ交換を行なう手順を説明する図であって、カメラボディ、交換用のレンズ鏡筒及びカメラから取り外したレンズ鏡筒を、レンズ交換補助装置に装着した状態を示す図である。
【図８】レンズ交換を行なう手順を説明する図であって、交換用のレンズ鏡筒をカメラボディに装着する様子を示す図である。
【図９】本発明の第２実施形態のレンズ交換補助装置を示す正面図である。
【図１０】本発明の第３実施形態のレンズ交換補助装置を示す正面図である。
【発明を実施するための形態】
【００１１】
（第１実施形態）
以下、図面を参照して、本発明の第１実施形態について説明する。なお、以下に示す図には、説明と理解を容易にするために、ＸＹＺ直交座標系を設けた。この座標系では、カメラ１をレンズ交換補助装置１０に装着した状態（図６参照）で、撮影者が光軸を水平として横長の画像を撮影する場合のカメラ１の位置（以下、正位置という）において撮影者から見て左側に向かう方向をＸプラス方向とする。また、正位置において上側に向かう方向をＹプラス方向とする。さらに、正位置において被写体に向かう方向をＺプラス方向とする。
図１は、本発明の第１実施形態のレンズ交換補助装置１０を示す側面図である。図２は、本発明の第１実施形態のレンズ交換補助装置１０を示す正面図である。
【００１２】
第１実施形態のレンズ交換補助装置１０は、レンズ交換式のカメラ１（図４参照）に装着されるように構成される。
レンズ交換補助装置１０は、図１及び図２に示すように、筐体２０と、カメラ取付部３０と、カメラ取付機構部４０と、２つの補助装置側マウント部５０ａ，５０ｂと、２つのキャップ部材５８ａ，５８ｂと、塵埃除去機構部７０と、電源部８０と、制御部９０とを備える。
【００１３】
筐体２０は、例えば、金属材料や合成樹脂材料の板材によって、外形が略直方体の箱形に形成されている。筐体２０の内部は、板材により区分けされている。筐体２０の内部における底面部側には、例えば、１つの塵埃除去空間２１が形成されている。
【００１４】
レンズ交換補助装置１０の底面部には、図２に示すように、下面視で円形の開口部６０ａ，６０ｂが２つ形成されている。２つの開口部６０ａ，６０ｂは、筐体２０の底面部において、レンズ交換補助装置１０の内部の塵埃除去空間２１に通じている。つまり、２つの開口部６０ａ，６０ｂは、塵埃除去空間２１を介してつながっている。
【００１５】
カメラ取付部３０は、カメラ１を着脱可能に構成される。カメラ取付部３０は、上方に向けて延びるねじにより構成され、筐体２０の上面部から突出するように形成される。カメラ取付部３０は、筐体２０の上板を貫通して配置される。カメラ取付部３０は、垂直方向に延びる軸を中心に回転可能に構成される。
【００１６】
カメラ取付部３０は、カメラ１の三脚取付穴１ａ（図４参照）に取り付け可能である。具体的には、カメラ取付部３０の上端側の外周面には、雄ねじが形成されている。カメラ取付部３０の雄ねじがカメラ１の三脚取付穴１ａの内周面に形成された雌ねじに螺合することで、カメラ１は、レンズ交換補助装置１０に取り付けられる。
カメラ取付部３０の下端は、筐体２０の内部において、カメラ取付機構部４０に連結される。
【００１７】
カメラ取付機構部４０は、図１に示すように、筐体２０の内部において、筐体２０の上板と塵埃除去空間２１との間に設けられる。カメラ取付機構部４０は、ダイヤル部４１と、第１ギア４２と、第２ギア４３と、を備える。
【００１８】
ダイヤル部４１は、円板状に形成され、中央部を中心に回転可能に構成されている。ダイヤル部４１の外周面は、凹凸状に形成されている。ダイヤル部４１は、筐体２０の内部において、上方側に配置される。ダイヤル部４１のほとんどの部分は、筐体２０の内部に配置される。ダイヤル部４１の外周面の一部は、筐体２０の側面部から外部に突出して配置される。
【００１９】
第１ギア４２及び第２ギア４３は、円板状に形成される。第１ギア４２及び第２ギア４３の外側面には、ギアが形成される。
第１ギア４２は、ダイヤル部４１の上方側に配置される。第１ギア４２の中央部とダイヤル部４１の中央部とは、連結軸４１１により連結されている。第１ギア４２は、ダイヤル部４１を回転することで、ダイヤル部４１と一体的に回転する。
【００２０】
第２ギア４３は、第１ギア４２と略同一平面上に配置される。第２ギア４３は、第１ギア４２に隣り合っており、第１ギア４２のギアに噛み合っている。第２ギア４３は、カメラ取付部３０の下方に配置される。第２ギア４３の中央部は、カメラ取付部３０の下端に連結される。第２ギア４３が回転することで、カメラ取付部３０は回転する。
【００２１】
このように構成されるカメラ取付機構部４０は、ダイヤル部４１を回転することで、第１ギア４２及び第２ギア４３を介して、カメラ取付部３０を回転させることができる。そして、カメラ取付部３０を回転させることで、カメラ取付部３０の雄ねじを、カメラ１の三脚取付穴１ａ（図４参照）の雌ねじに螺合させることができる。
【００２２】
２つの補助装置側マウント部５０ａ，５０ｂは、図１及び図２に示すように、２つの開口部６０ａ，６０ｂにそれぞれ設けられる。
補助装置側マウント部５０ａ，５０ｂは、レンズ交換補助装置１０とレンズ鏡筒２ａ，２ｂとを締結するマウント機構の一部を形成するものである。補助装置側マウント部５０ａ，５０ｂは、カメラ１のカメラ側マウント部１ｂ（図５参照）と同一の構成である。
補助装置側マウント部５０ａ，５０ｂは、レンズ鏡筒２ａ，２ｂを着脱可能に構成される。
【００２３】
本実施形態においては、補助装置側マウント部５０ａ，５０ｂは、マウント環５１ａ，５１ｂ、補助装置側爪部５２ａ，５２ｂ、検知スイッチ５５ａ，５５ｂ等を備えたバヨネット式のマウントである。
マウント環５１ａ，５１ｂは、開口部６０ａ，６０ｂの周縁部に沿って配置された円環状の部材である。マウント環５１ａ，５１ｂは、例えば、金属材料によって形成されている。
【００２４】
補助装置側爪部５２ａ，５２ｂは、マウント環５１ａ，５１ｂの内周面から突出して形成されており、周方向に沿って略等しい間隔で、例えば、３つ設けられている。補助装置側爪部５２ａ，５２ｂは、レンズ鏡筒２ａ，２ｂの鏡筒側マウント部３ａ，３ｂ（図５参照）に機械的に係合することで、レンズ鏡筒２ａ，２ｂをレンズ交換補助装置１０に保持させるものである。
【００２５】
２つのキャップ部材５８ａ，５８ｂそれぞれは、２つのマウント環５１ａ，５１ｂに着脱可能に取り付けられている。キャップ部材５８ａ，５８ｂは、マウント環５１ａ，５１ｂに取り付けられることで、開口部６０ａ，６０ｂを筐体２０の外側から塞ぐように構成されている。
【００２６】
検知スイッチ５５ａ，５５ｂは、補助装置側マウント部５０ａ，５０ｂにレンズ鏡筒２ａ，２ｂが装着されたことを検知可能である。検知スイッチ５５ａ，５５ｂは、ピン状に形成され、マウント環５１ａ，５１ｂから筐体２０の外部側に向けて突出して設けられている。
【００２７】
検知スイッチ５５ａ，５５ｂは、マウント環５１ａ，５１ｂから筐体２０の外部側に突出した突出位置と、マウント環５１ａ，５１ｂに収容された収容位置との間を移動可能に構成される。検知スイッチ５５ａ，５５ｂは、不図示のバネによって突出位置に付勢されている。検知スイッチ５５ａ，５５ｂは、レンズ鏡筒２ａ，２ｂがレンズ交換補助装置１０に装着された場合に、レンズ鏡筒２ａ，２ｂの鏡筒側マウント部３ａ，３ｂにより押圧されて、収容位置に移動される。
【００２８】
検知スイッチ５５ａ，５５ｂが収容位置に位置した場合に、不図示の検知回路が短絡されて、検知スイッチ５５ａ，５５ｂからの検知信号は、制御部９０に出力される。検知スイッチ５５ａ，５５ｂが突出位置に位置した場合には、不図示の検知回路が開放状態であり、検知信号は、検知スイッチ５５ａ，５５ｂから出力されない。
【００２９】
塵埃除去機構部７０は、図１及び図２に示すように、筐体２０の塵埃除去空間２１に設けられる。塵埃除去機構部７０は、筐体２０の塵埃除去空間２１において、一方の補助装置側マウント部５０ａと他方の補助装置側マウント部５０ｂとの間に、例えば、１つ設けられる。
【００３０】
塵埃除去機構部７０は、送風部７１と、逆流防止弁７２と、排気口７３と、フィルター７４と、塵埃蓄積部７５と、を有する。
排気口７３は、筐体２０の一方の側面板に形成される。排気口７３は、複数のスリットを有して構成され、筐体２０の内部と外部とを連通する。
【００３１】
送風部７１は、開口部６０ａ，６０ｂと排気口７３との間に配置される。送風部７１は、ファン７１１と、モータ７１２とを有する。ファン７１１は、モータ７１２の駆動により回転する。送風部７１は、ファン７１１が回転することで、筐体の内部２１の空気を、開口部６０ａ，６０ｂから排気口７３に向かう方向に送風する。
【００３２】
フィルター７４は、送風部７１に対して排気口７３とは反対側に配置される。フィルター７４には、送風部７１により送風された空気が通過する。これにより、フィルター７４には、送風部７１により送風された空気により移動される塵埃が付着する。フィルター７４に付着した塵埃は、一部がフィルター７４から脱離されて下方に落下する。
【００３３】
塵埃蓄積部７５は、フィルター７４から落下した塵埃を蓄積する。塵埃蓄積部７５は、フィルター７４に対して送風部７１とは反対側において、フィルター７４の下方に配置される。塵埃蓄積部７５は、有底で上部側が開放された箱状に形成され、筐体２０の側面部から引き出し可能に構成される。
【００３４】
逆流防止弁７２は、開口部６０ａ，６０ｂとフィルター７４との間に配置される。逆流防止弁７２は、排気口７３側から開口部６０ａ，６０ｂ側への塵埃の移動を防止する。
【００３５】
電源部８０は、図２に示すように、筐体２０の内部に収容される。電源部８０は、モータ７１２に電力を供給可能である。電源部８０は、例えば、電池により構成される。
【００３６】
制御部９０は、モータ７１２に電力を供給するように電源部８０を制御して、塵埃除去機構部７０を動作させる。制御部９０は、例えば、モータ７１２に一定時間だけ電力を供給するように電源部８０を制御する。
制御部９０は、検知スイッチ５５ａ，５５ｂによってレンズ鏡筒２ａ，２ｂが補助装置側マウント部５０ａ，５０ｂに装着されたことが検知された場合に、塵埃除去機構部７０を動作させるように制御する。本実施形態においては、制御部９０は、例えば、２つのレンズ鏡筒２ａ，２ｂの一方が装着されたことが検知スイッチ５５ａ，５５ｂによって検知された場合に、塵埃除去機構部７０を動作させるように制御する。
【００３７】
これにより、塵埃除去機構部７０は、レンズ交換補助装置１０にレンズ鏡筒２ａ，２ｂが取り付けられた状態において、レンズ鏡筒２ａ，２ｂの内部に入り込んだ塵埃を、筐体２０の内部側に移動させることができる。塵埃除去機構部７０は、レンズ鏡筒２ａ，２ｂの内部に入り込んだ塵埃を、開口部６０ａ，６０ｂを介して、レンズ鏡筒２ａ，２ｂの外部である筐体２０の内部側に移動させる。
【００３８】
次に、本実施形態のレンズ交換補助装置１０を用いて、カメラ１のレンズ鏡筒２ａを交換する手順について説明する。図３は、レンズ交換を行なう手順を説明する図であって、交換用のレンズ鏡筒２ｂをレンズ交換補助装置１０に装着する様子を示す図である。図４は、レンズ交換を行なう手順を説明する図であって、交換用のレンズ鏡筒２ｂをレンズ交換補助装置１０に装着した状態で、カメラ１をレンズ交換補助装置１０に装着する様子を示す図である。図５は、レンズ交換補助装置１０に装着したレンズ鏡筒２ｂの内部の塵埃を、塵埃除去機構部７０により除去する様子を説明する図である。図６は、レンズ交換を行なう手順を説明する図であって、カメラボディ４及び交換用のレンズ鏡筒２ｂをレンズ交換補助装置１０に装着した状態で、カメラ１から取り外したレンズ鏡筒２ａをレンズ交換補助装置１０に装着する様子を示す図である。図７は、レンズ交換を行なう手順を説明する図であって、カメラボディ４、交換用のレンズ鏡筒２ｂ及びカメラ１から取り外したレンズ鏡筒２ａを、レンズ交換補助装置１０に装着した状態を示す図である。図８は、レンズ交換を行なう手順を説明する図であって、交換用のレンズ鏡筒２ｂをカメラボディ４に装着する様子を示す図である。
【００３９】
本実施形態においては、レンズ交換式カメラ１には、ストラップ５が連結されている（図４参照）。使用者は、例えば、ストラップ５を首等に掛けてカメラ１を首等から吊るした状態で、本発明に係るレンズ交換補助装置１０を使用する。
【００４０】
まず、図３に示すように、使用者は、交換用のレンズ鏡筒２ｂを、レンズ交換補助装置１０の他方のマウント部５０ｂにあらかじめ装着する。具体的には、使用者は、キャップ部材５８ｂを他方の補助装置側マウント部５０ｂから外して、交換用のレンズ鏡筒２ｂの鏡筒側マウント部３ｂを、図４に示すように、他方の補助装置側マウント部５０ｂに取り付ける。
【００４１】
本実施形態においては、２つのレンズ鏡筒２ａ，２ｂの一方がレンズ交換補助装置１０に装着されたことが検知スイッチ５５ａ，５５ｂによって検知された場合に、制御部９０は、塵埃除去機構部７０を動作させるように制御する。また、制御部９０は、一定時間経過後に、モータ７１２への電力を停止させるように電源部８０を制御する。
【００４２】
そこで、塵埃除去機構部７０の送風部７１は、図５に示すように、交換用のレンズ鏡筒２ｂがレンズ交換補助装置１０に装着された場合に、開口部６０ｂから排気口７３に向かう方向に、空気を送風する。これにより、レンズ鏡筒２ｂの内部に入り込んだ塵埃を筐体２０の内部側に移動させるように、空気は流動する。
【００４３】
このようにして、塵埃除去機構部７０は、交換用のレンズ鏡筒２ｂの内部に入り込んだ塵埃を、筐体２０の内部側に移動させることができる。塵埃除去機構部７０により移動された塵埃は、フィルター７４に付着する。フィルター７４に付着した塵埃は、一部がフィルター７４から脱離されて、塵埃蓄積部７５に蓄積される。塵埃蓄積部７５に蓄積された塵埃は、塵埃蓄積部７５が筐体２０の側面部から引き出されることで、筐体２０の外部へ取り出される。
【００４４】
本実施形態においては、制御部９０は、モータ７１２に一定時間だけ電力を供給するように電源部８０を制御している。そのため、一定時間経過後に、送風部７１による空気の送風は停止する。
ここで、開口部６０ｂとフィルター７４との間には、逆流防止弁７２が設けられている。そのため、排気口７３側から開口部６０ｂ側への塵埃の移動は、防止される。このように、逆流防止弁７２により、レンズ鏡筒２ｂの内部側には、塵埃が移動しないようになっている。
【００４５】
次に、使用者は、例えば、ストラップ５を首等に掛けてカメラ１を首等から吊るした状態で、図４に示すように、レンズ交換補助装置１０にカメラ１を装着する。具体的には、使用者は、カメラ１の三脚取付穴１ａに、レンズ交換補助装置１０のカメラ取付部３０を挿入する。その後、使用者は、ダイヤル部４１を、カメラ取付部３０がカメラ１を装着する方向に回転する。そして、使用者は、第１ギア４２及び第２ギア４３を介してカメラ取付部３０を回転させる。これにより、カメラ取付部３０の雄ねじは、カメラ１の三脚取付穴１ａの雌ねじに螺合する。
【００４６】
続けて、使用者は、図６に示すように、レンズ交換補助装置１０に装着されたカメラ１からレンズ鏡筒２ａを取り外す。そして、使用者は、キャップ部材５８ａを一方の補助装置側マウント部５０ａから外して、取り外したレンズ鏡筒２ａを一方の補助装置側マウント部５０ａに装着する。具体的には、使用者は、取り外したレンズ鏡筒２ａの鏡筒側マウント部３ａを一方の補助装置側マウント部５０ａに取り付ける。
【００４７】
レンズ交換補助装置１０には、図７に示すように、交換用のレンズ鏡筒２ｂと、カメラ１から取り外したレンズ鏡筒２ａと、カメラボディ４と、が装着された状態となる。
ここで、制御部９０は、塵埃除去機構部７０を動作させるように制御する。また、制御部９０は、一定時間経過後に、モータ７１２への電力を停止させるように電源部８０を制御する。
なお、カメラ１から取り外したレンズ鏡筒２ａを補助装置側マウント部５０ａに装着した場合の塵埃除去機構部７０の動作については、交換用のレンズ鏡筒２ｂを補助装置側マウント部５０ｂに装着した場合の塵埃除去機構部７０の動作と同様であるため、前述の説明を援用して、その説明を省略する。
【００４８】
これにより、塵埃除去機構部７０は、カメラ１から取り外したレンズ鏡筒２ａの内部に入り込んだ塵埃を、筐体２０の内部側に移動させることができる。
【００４９】
続けて、使用者は、図８に示すように、交換用のレンズ鏡筒２ｂを、レンズ交換補助装置１０から脱離させる。そして、使用者は、レンズ交換補助装置１０から脱離させた交換用のレンズ鏡筒２ｂを、カメラボディ４に装着する。
【００５０】
以上、第１実施形態によると、以下の効果を有する。
（１）レンズ交換補助装置１０は、カメラ１を着脱可能なカメラ取付部３０と、レンズ鏡筒２ａ，２ｂを着脱可能な補助装置側マウント部５０ａ，５０ｂと、塵埃除去機構部７０と、を備える。そのため、レンズ交換補助装置１０にカメラ１を装着した状態で、レンズ交換補助装置１０に対してレンズ鏡筒２ａを着脱させることができる。これにより、レンズ交換を安全かつ迅速に行うことができる。
また、使用者は、首から吊り下げたカメラ１にレンズ交換補助装置１０を装着した状態で、レンズ交換を行なうことができる。そのため、使用者は、カメラ１及びレンズ交換補助装置１０を首から吊り下げた状態で、レンズ鏡筒２ａ，２ｂをレンズ交換補助装置１０に保持させることができる。これにより、使用者は、レンズ鏡筒２ａ，２ｂをレンズ交換補助装置１０に装着したときにはレンズ鏡筒２ａ，２ｂも首から吊り下げた状態となり、両手を使いやすい状態となるため、レンズ交換を安全かつ迅速に行なうことができる。
また、作業者は、レンズ交換をする際に交換用のレンズ鏡筒２ｂをレンズ交換補助装置１０にあらかじめ装着しておくことで、レンズ鏡筒２ｂをカバン等から出したりする手間がなくなる。これにより、レンズ交換の作業を迅速に開始することができる。
また、カメラ１から取り外したレンズ鏡筒２ａを、レンズ鏡筒２ａの内部に通じる開口にキャップ等の蓋をすることなしに、レンズ鏡筒２ａの内部に塵埃が入り込むことが抑制された状態で、レンズ交換補助装置１０に保持させることができる。これにより、レンズ交換の作業を迅速に終了させることができる。
更に、カメラ１のレンズを交換する際に、塵埃除去機構部７０によりレンズ鏡筒２ａの内部の塵埃を除去することもできる。
【００５１】
（２）レンズ交換補助装置１０は、補助装置側マウント部５０ａ，５０ｂを少なくとも２つ備える。そのため、カメラ１から取り外したレンズ鏡筒２ａと交換用のレンズ鏡筒２ｂとの両方を、本発明のレンズ交換補助装置１０に装着することができる。これにより、カメラ１から取り外したレンズ鏡筒２ａ及び交換用のレンズ鏡筒２ｂのうちのいずれか一方が保持されていない状態を回避することができる。従って、レンズ鏡筒２ａ，２ｂを安全かつ迅速に交換することができる。
【００５２】
（３）カメラ取付部３０は、カメラ１の三脚取付穴１ａに取り付け可能である。そのため、三脚取付穴１ａを有するカメラ１であれば、カメラ取付部３０には、カメラ１を取り付けることができる。従って、一般的なカメラに備えられる三脚取付穴１ａを利用して、様々な種類のカメラ１をカメラ取付部３０に装着することができる。
【００５３】
（４）塵埃除去機構部７０は、排気口７３と、開口部６０ａ，６０ｂから排気口７３に空気を送風する送風部７１と、排気口７３側から開口部６０ａ，６０ｂ側への塵埃の移動を防止する逆流防止弁７２と、を有する。そのため、送風部７１は、レンズ鏡筒２ａ，２ｂを補助装置側マウント部５０ａ，５０ｂに装着した状態で、開口部６０ａ，６０ｂから排気口７３に向かう方向に空気を送風することができる。これにより、レンズ鏡筒２ａ，２ｂの内部に入り込んだ塵埃を、筐体２０の内部側に移動させて除去することができる。
【００５４】
（５）レンズ交換補助装置１０は、検知スイッチ５５ａ，５５ｂと、検知スイッチ５５ａ，５５ｂによりレンズ鏡筒２ａ，２ｂが補助装置側マウント部５０ａ，５０ｂに装着されたことが検知された場合に、塵埃除去機構部７０を動作させるように制御する制御部９０と、を備える。そのため、レンズ鏡筒２ａ，２ｂが補助装置側マウント部５０ａ，５０ｂに装着されたときのみに、レンズ鏡筒２ａ，２ｂの内部に入り込んだ塵埃を除去することができる。これにより、消費電力を抑制することができるとともに、レンズ鏡筒２ａ，２ｂの内部の塵埃を効率よく除去することができる。
【００５５】
（第２実施形態）
次に、本発明のレンズ交換補助装置１０の他の実施形態としての第２実施形態及び第３実施形態について、図面を参照しながら説明する。なお、第２実施形態及び第３実施形態の説明にあたって、第１実施形態と同一の構成要件については同一の符号を付し、その説明を省略又は簡略化する。
【００５６】
第２実施形態のレンズ交換補助装置１０について説明する。図９は、本発明の第２実施形態のレンズ交換補助装置１０を示す正面図である。
第２実施形態のレンズ交換補助装置１０は、塵埃除去機構部７０ａ，７０ｂを２つ設けている点において、第１実施形態のレンズ交換補助装置１０とは主に異なる。
【００５７】
第２実施形態のレンズ交換補助装置１０は、図９に示すように、２つの塵埃除去空間２１ａ，２１ｂと、２つの補助装置側マウント部５０ａ，５０ｂと、２つの塵埃除去機構部７０ａ，７０ｂと、を備える。
【００５８】
２つの塵埃除去空間２１ａ，２１ｂそれぞれは、前述の第１実施形態の塵埃除去空間２１が板材で仕切られることにより形成されている。
２つの補助装置側マウント部５０ａ，５０ｂそれぞれは、２つの塵埃除去空間２１ａ，２１ｂの下方に形成される２つの開口部６０ａ，６０ｂに設けられている。
【００５９】
２つの塵埃除去機構部７０ａ，７０ｂそれぞれは、２つの補助装置側マウント部５０ａ，５０ｂに対応する２つの塵埃除去空間２１ａ，２１ｂに設けられる。言い換えると、塵埃除去機構部７０ａ，７０ｂは、２つの補助装置側マウント部５０ａ，５０ｂと同じ数だけ設けられ、補助装置側マウント部５０ａ，５０ｂ毎に設けられている。つまり、２つの塵埃除去機構部７０ａ，７０ｂそれぞれは、２つのレンズ鏡筒２ａ，２ｂが２つの補助装置側マウント部５０ａ，５０ｂに装着された場合に、レンズ鏡筒２ａ，２ｂ毎に設けられることとなる。
【００６０】
以上、第２実施形態によれば、第１実施形態と同様の効果を奏する他、以下の効果を有する。
（１）２つの塵埃除去機構部７０ａ，７０ｂは、２つの補助装置側マウント部５０ａ，５０ｂと同じ数設けられ、補助装置側マウント部５０ａ，５０ｂ毎に設けられている。そのため、２つの塵埃除去機構部７０ａ，７０ｂそれぞれは、補助装置側マウント部５０ａ，５０ｂに装着されたレンズ鏡筒２ａ，２ｂ毎に設けられる。これにより、塵埃除去機構部７０ａ，７０ｂそれぞれは、レンズ鏡筒２ａ，２ｂの内部に入り込んだ塵埃を、補助装置側マウント部５０ａ，５０ｂに装着されたレンズ鏡筒２ａ，２ｂ毎に、効率よく、除去することができる。
【００６１】
（第３実施形態）
次に、第３実施形態のレンズ交換補助装置１０について説明する。図１０は、本発明の第３実施形態のレンズ交換補助装置１０を示す正面図である。
第３実施形態のレンズ交換補助装置１０は、塵埃除去機構部７０を動作させるための電力が、カメラ取付部３０に取り付けられたカメラ１から供給される点において、第１実施形態のレンズ交換補助装置１０とは主に異なる。
【００６２】
第３実施形態のレンズ交換補助装置１０においては、塵埃除去機構部７０を動作させるための電力は、カメラ取付部３０に取り付けられたカメラ１から供給されるように構成されている。
図１０に示すように、カメラ１は、バッテリーパック６と、カメラ側端子部７とを備える。バッテリーパック６は、カメラ１の内部に収容されている。バッテリーパック６の電力は、カメラ側端子部７を介して、カメラ１の外部に取り出すことが可能である。
【００６３】
レンズ交換補助装置１０は、補助装置側端子部９５と、電源回路部９６と、を備える。レンズ交換補助装置１０は、補助装置側端子部９５を介して、カメラ１のバッテリーパック６からの電力が供給されることが可能である。
【００６４】
補助装置側端子部９５は、カメラ１がレンズ交換補助装置１０に装着された状態において、カメラ側端子部７と接触する。これにより、補助装置側端子部９５は、カメラ側端子部７に電気的に接続される。
電源回路部９６には、カメラ側端子部７と補助装置側端子部９５とが電気的に接続された状態において、カメラ１のバッテリーパック６からの電力が入力される。
制御部９０は、検知スイッチ５５ａ，５５ｂにより検知信号が入力された場合に、カメラ１のバッテリーパック６からモータ７１２に電力を供給するように電源回路部９６を制御する。
【００６５】
以上、第３実施形態によれば、第１実施形態と同様の効果を奏する他、以下の効果を有する。
（１）塵埃除去機構部７０を動作させるための電力は、カメラ取付部３０に取り付けられたカメラ１から供給される。そのため、レンズ交換補助装置１０は、電源部を備える必要がない。これにより、電源部を配置するスペースを削減して、レンズ交換補助装置１０をコンパクトに形成することができる。
【００６６】
（変形形態）
以上、説明した実施形態に限定されることなく、以下に示すような種々の変形や変更が可能であり、それらも本発明の範囲内である。
【００６７】
（１）前述の実施形態においては、補助装置側マウント部５０ａ，５０ｂを２つで構成したが、これに制限されない。補助装置側マウント部を、１つで構成してもよいし、３つ以上で構成してもよい。
（２）また、前述の実施形態においては、開口部６０ａ，６０ｂ及び補助装置側マウント部５０ａ，５０ｂを筐体２０の底面部側に設けたが、これに制限されない。例えば、開口部６０ａ，６０ｂ及び補助装置側マウント部５０ａ，５０ｂを筐体２０の側面部側に配置するように設けてもよい。
（３）また、前述の実施形態においては、カメラ取付部３０をカメラ１の三脚取付穴１ａに取り付け可能であるように構成したが、これに制限されない。カメラ取付部３０は、例えば、カメラ１に装着された外付けの外部補助バッテリーの部分に取り付け可能であるように構成してもよい。
【００６８】
なお、実施形態及び変形形態は、適宜組み合わせて用いることもできるが、詳細な説明は省略する。また、本発明は以上説明した実施形態によって限定されることはない。
【符号の説明】
【００６９】
１：カメラ、１ａ：三脚取付穴、２ａ，２ｂ：レンズ鏡筒、１０：レンズ交換補助装置、２１：塵埃除去空間、３０：カメラ取付部、５０ａ，５０ｂ：補助装置側マウント部、５５ａ，５５ｂ：検知スイッチ、６０ａ，６０ｂ：開口部、７０：塵埃除去機構部、７１：送風部、７２：逆流防止弁、７３：排気口、９０：制御部
【図１】
2012247579.tif 000003
【図２】
2012247579.tif 000004
【図３】
2012247579.tif 000005
【図４】
2012247579.tif 000006
【図５】
2012247579.tif 000007
【図６】
2012247579.tif 000008
【図７】
2012247579.tif 000009
【図８】
2012247579.tif 000010
【図９】
2012247579.tif 000011
【図１０】
2012247579.tif 000012